【手続補正書】
【提出日】平成18年3月1日(2006.3.1)
【手続補正１】
【補正対象書類名】特許請求の範囲
【補正対象項目名】請求項８
【補正方法】変更
【補正の内容】
【請求項８】
請求項１において、
前記映像番組の延長時間を取得する延長時間取得部をさらに備え、
前記記録容量算出部は、
前記延長時間取得部で取得された延長時間を考慮して前記映像番組を前記第１の符号化映像信号によって記録するために必要な記録容量を算出する
ことを特徴とする映像信号記録装置。
【手続補正２】
【補正対象書類名】特許請求の範囲
【補正対象項目名】請求項１１
【補正方法】変更
【補正の内容】
【請求項１１】
請求項１０において、
前記映像番組のコマーシャルを検出するコマーシャル検出部をさらに備え、
前記映像信号選択部は、
前記映像信号制御部による比較の結果に応じて、前記コマーシャル検出部でコマーシャルが検出されている期間に前記第１の符号化映像信号または前記第２の符号化映像信号を選択する
ことを特徴とする映像信号記録装置。
【手続補正３】
【補正対象書類名】特許請求の範囲
【補正対象項目名】請求項２１
【補正方法】変更
【補正の内容】
【請求項２１】
請求項１４において、
前記映像番組の延長時間を取得する延長時間取得ステップをさらに備え、
前記記録容量算出ステップは、
前記延長時間取得ステップで取得された延長時間を考慮して前記映像番組を前記第１の符号化映像信号によって記録するために必要な記録容量を算出する
ことを特徴とする映像信号記録方法。
【手続補正４】
【補正対象書類名】特許請求の範囲
【補正対象項目名】請求項２４
【補正方法】変更
【補正の内容】
【請求項２４】
請求項２３において、
前記映像番組のコマーシャルを検出するコマーシャル検出ステップをさらに備え、
前記映像信号選択ステップは、
前記映像信号制御ステップによる比較の結果に応じて、前記コマーシャル検出ステップでコマーシャルが検出されている期間に前記第１の符号化映像信号または前記第２の符号化映像信号を選択する
ことを特徴とする映像信号記録方法。
【手続補正５】
【補正対象書類名】特許請求の範囲
【補正対象項目名】請求項２５
【補正方法】変更
【補正の内容】
【請求項２５】
請求項２３において、
前記映像信号選択ステップは、
現在選択している符号化映像信号に加えて現在選択されていない符号化映像信号を前記映像信号制御ステップによる比較の結果に応じて一定期間出力した後に、２つの符号化映像信号のうち先に選択された符号化映像信号の出力を中断しかつ後に選択された符号化映像信号の出力を継続し、
前記記録ステップは、
前記映像信号選択ステップで出力された符号化映像信号を前記記録媒体に記録する
ことを特徴とする映像信号記録方法。
【手続補正６】
【補正対象書類名】明細書
【補正対象項目名】００２１
【補正方法】変更
【補正の内容】
【００２１】
好ましくは、上記映像信号記録装置はさらに、優先度設定部を備える。上記記録容量算出部は、所定の値よりも優先度が高い映像番組を第１の符号化映像信号によって記録しかつ優先度が所定の値以下の映像番組を第２の符号化映像信号によって記録するために必要な記録容量を算出する。上記映像信号選択部は、上記映像信号制御部で空き容量が記録容量よりも大きいと判断されたとき、優先度が所定の値よりも高い映像番組に対しては第１の符号化映像信号を選択しかつ優先度が所定の値以下の映像番組に対しては第２の符号化映像信号を選択する。優先度設定部は、上記映像信号制御部で空き容量が記録容量よりも小さいと判断されたとき、所定の値を変更する。
【手続補正７】
【補正対象書類名】明細書
【補正対象項目名】００２７
【補正方法】変更
【補正の内容】
【００２７】
上記映像信号記録装置では、空き容量検出部、記録容量算出部、および映像信号制御部は動的に動作する。つまり、映像信号選択部で符号化映像信号が選択された後も、空き容量と記録容量とを比較してその都度符号化映像信号を選択する。これにより、空き容量や記録容量の動的変化に応じてその都度適切な符号化映像信号に切り替えることができる。
【手続補正８】
【補正対象書類名】明細書
【補正対象項目名】００３３
【補正方法】変更
【補正の内容】
【００３３】
好ましくは、上記映像信号記録装置は、ＧＯＰ検出部をさらに備える。ＧＯＰ検出部は、現在選択されていない符号化映像信号よりＧＯＰの先頭を検出する。上記映像信号選択部は、上記映像信号制御部による比較の結果に応じてＧＯＰ検出部でＧＯＰが検出された直後にＧＯＰ検出部でＧＯＰの先頭が検出された方の符号化映像信号を選択する。
【手続補正９】
【補正対象書類名】明細書
【補正対象項目名】００４３
【補正方法】変更
【補正の内容】
【００４３】
好ましくは、上記映像信号記録方法はさらに、優先度設定ステップを備える。上記記録容量算出ステップは、所定の値よりも優先度が高い映像番組を第１の符号化映像信号によって記録しかつ優先度が所定の値以下の映像番組を第２の符号化映像信号によって記録するために必要な記録容量を算出する。上記映像信号選択ステップは、上記映像信号制御ステップで空き容量が記録容量よりも大きいと判断されたとき、優先度が所定の値よりも高い映像番組に対しては第１の符号化映像信号を選択しかつ優先度が所定の値以下の映像番組に対しては第２の符号化映像信号を選択する。優先度設定ステップは、上記映像信号制御ステップで空き容量が記録容量よりも小さいと判断されたとき、所定の値を変更する。
【手続補正１０】
【補正対象書類名】明細書
【補正対象項目名】００４９
【補正方法】変更
【補正の内容】
【００４９】
上記映像信号記録方法では、空き容量検出ステップ、記録容量算出ステップ、および映像信号制御ステップは動的に動作する。つまり、映像信号選択ステップで符号化映像信号が選択された後も、空き容量と記録容量とを比較してその都度符号化映像信号を選択する。これにより、空き容量や記録容量の動的変化に応じてその都度適切な符号化映像信号に切り替えることができる。
【手続補正１１】
【補正対象書類名】明細書
【補正対象項目名】００５２
【補正方法】変更
【補正の内容】
【００５２】
上記映像信号記録方法では、映像信号選択ステップは、コマーシャル部分で符号化映像信号を切り替える。例えば、映像信号選択ステップで第１の符号化映像信号が選択されているとする。次に、上記映像信号制御ステップは、空き容量が記録容量よりも小さいと判断したとする。次に映像信号選択ステップは、コマーシャル検出ステップでコマーシャルが検出されている期間に第２の符号化映像信号に切り替える。つまり、映像信号制御ステップで空き容量が記録容量よりも小さいと判断されても、コマーシャル検出ステップでコマーシャルが検出されていない期間では、符号化映像信号を切り替えない。これにより、画質の変化や映像の途切れがコマーシャル部分で発生するが、映像番組の内容を示す重要な部分ではこれらの発生を防ぐことができる。
【手続補正１２】
【補正対象書類名】明細書
【補正対象項目名】００５３
【補正方法】変更
【補正の内容】
【００５３】
好ましくは、上記映像信号選択ステップは、現在選択している符号化映像信号に加えて現在選択されていない符号化映像信号を前記映像信号制御ステップの比較結果に応じて一定期間出力した後に、２つの符号化映像信号のうち先に選択された符号化映像信号の出力を中断しかつ後に選択された符号化映像信号の出力を継続する。上記記録ステップは、映像信号選択ステップで出力された符号化映像信号を記録媒体に記録する。
【手続補正１３】
【補正対象書類名】明細書
【補正対象項目名】００５４
【補正方法】変更
【補正の内容】
【００５４】
上記映像信号記録方法では、映像信号選択ステップは、符号化映像信号を切り替えるときに、一定期間両方の符号化映像信号（第１の符号化映像信号，第２の符号化映像信号）を出力する。その後に、映像信号選択ステップは、後に選択した符号化映像信号を出力する。例えば、まず、映像信号選択ステップで第１の符号化映像信号が選択されているとする。次に、映像信号選択ステップは、映像信号制御ステップで、空き容量が記録容量よりも小さいと判断されたときに、第１の符号化映像信号に加えて第２の符号化映像信号を一定期間出力する。次に、映像信号選択ステップは、第１の符号化映像信号の出力を中断しかつ第２の符号化映像信号の出力を継続する。つまり、一定期間両方の符号化映像信号を出力した後に第２の符号化映像信号のみを出力する。これにより、映像番組を途切れることなく記録媒体に記録することができる。
【手続補正１４】
【補正対象書類名】明細書
【補正対象項目名】００５５
【補正方法】変更
【補正の内容】
【００５５】
好ましくは、上記映像信号記録方法は、ＧＯＰ検出ステップをさらに備える。ＧＯＰ検出ステップは、現在選択されていない符号化映像信号よりＧＯＰの先頭を検出する。上記映像信号選択ステップは、上記映像信号制御ステップの比較結果に応じてＧＯＰ検出ステップでＧＯＰが検出された直後にＧＯＰ検出ステップでＧＯＰの先頭が検出された方の符号化映像信号を選択する。
【手続補正１５】
【補正対象書類名】明細書
【補正対象項目名】００５９
【補正方法】変更
【補正の内容】
【００５９】
（第１の実施形態）
この発明の第１の実施形態による映像信号記録装置１の全体構成を図１に示す。この装置は、入力部１００と、映像信号抽出部１０１と、映像信号選択部１０２と、記録部１０３と、記録媒体１０４と、空き容量検出部１０５と、記録容量算出部１０６と、映像信号制御部１０７とを備える。入力部１００は、地上波デジタル放送を受信してトランスポートストリームを映像信号抽出部１０１へ出力する。映像信号抽出部１０１は、入力部１００によって出力されたトランスポートストリームから固定受信機向け放送のトランスポートストリームＴＳ１０１および移動体受信機向け放送のトランスポートストリームＴＳ１０２を抽出する。映像信号選択部１０２は、映像信号制御部１０７の指示に従ってトランスポートストリームＴＳ１０１またはトランスポートストリームＴＳ１０２を選択する。記録部１０３は、映像信号選択部１０２で選択されたトランスポートストリームＴＳ１０１またはＴＳ１０２を記録媒体１０４に記録する。空き容量検出部１０５は、記録媒体１０４の空き容量を検出する。記録容量算出部１０６は、記録したい映像番組の時間長（放送時間）と記録したい映像番組の固定受信機向け放送の平均符号化ビットレートから、その映像番組を固定受信機向け放送のトランスポートストリームで記録するのに必要な記録容量を算出する。映像信号制御部１０７は、空き容量検出部１０５が検出した空き容量が記録容量算出部１０６が算出した記録容量より大きい場合には映像信号選択部１０２が固定受信機向け放送のトランスポートストリームＴＳ１０１を選択し、前記空き容量が前記記録容量より小さい場合には映像信号選択部１０２が移動体受信機向け放送トランスポートストリームＴＳ１０２を選択するように制御する。
【手続補正１６】
【補正対象書類名】明細書
【補正対象項目名】００８９
【補正方法】変更
【補正の内容】
【００８９】
以上のように、優先度が優先度しきい値よりも大きい映像番組は固定受信機向け放送のトランスポートストリームＴＳ１０１で記録媒体１０４に記録されて、優先度が優先度しきい値以下の映像番組は移動体受信機向けのトランスポートストリームＴＳ１０２で記録媒体１０４に記録される。つまり、図５に示した予約番組情報が予約番組情報記憶部２００に記憶されてかつ優先度記憶部２０１に記録されている優先度しきい値が「中画質」である場合、優先度が「高画質」の番組Ｂ１０１はトランスポートストリームＴＳ１０１で記録媒体１０４に記録され、優先度が「中画質」，「低画質」の番組Ｂ１０２，１０３はトランスポートストリームＴＳ１０２で記録媒体１０４に記録される。
【手続補正１７】
【補正対象書類名】明細書
【補正対象項目名】０１０３
【補正方法】変更
【補正の内容】
【０１０３】
〔ステップＳＴ３０６〕
次に、映像信号制御部１０７は、空き容量検出部１０５で検出された空き容量と記録容量算出部１０６で算出された記録容量とを比較する。空き容量が記録容量よりも大きい場合にはステップＳＴ３０７へ進み、空き容量が記録容量よりも小さい場合にはステップＳＴ３１０へ進む。
【手続補正１８】
【補正対象書類名】明細書
【補正対象項目名】０１０５
【補正方法】変更
【補正の内容】
【０１０５】
〔ステップＳＴ３０８〕
次に、映像信号選択部１０２は、映像信号抽出部１０１で抽出されたトランスポートストリームより固定受信機向け放送のトランスポートストリームＴＳ１０１を選択する。つまり、優先度が優先度しきい値よりも高い映像番組に対してはトランスポートストリームＴＳ１０１を選択する。
【手続補正１９】
【補正対象書類名】明細書
【補正対象項目名】０１１０
【補正方法】変更
【補正の内容】
【０１１０】
図５のような予約番組情報と優先度が予約番組情報記憶部２００に記憶されているとする。このとき映像番組Ｂ１０１，Ｂ１０２，Ｂ１０３の放送時間の合計は３時間（ｈ）となる。また、記録媒体の空き容量が３ＧＢ、固定受信機向けの映像番組の平均ビットレートが５Ｍｂｐｓ、移動体受信機向けの映像番組の平均ビットレートが５１２Ｋｂｐｓをする。
【手続補正２０】
【補正対象書類名】明細書
【補正対象項目名】０１１９
【補正方法】変更
【補正の内容】
【０１１９】
（第４の実施形態）
この発明の第４の実施形態による映像信号記録装置４の全体構成を図１１に示す。この装置は、図１に示した映像信号記録装置１に加えて延長時間取得部４００と、表示部２０２とを備える。延長時間取得部４００は、トランスポートストリームに含まれるＳＩ（Ｓｅｒｖｉｃｅ Ｉｎｆｏｒｍａｔｉｏｎ）データから放送時間が延長される可能性がある映像番組の延長時間を取得する。表示部２０２は、映像信号選択部１０２でどちらのトランスポートストリームが選択されたのかを表示する。
【手続補正２１】
【補正対象書類名】明細書
【補正対象項目名】０１２４
【補正方法】変更
【補正の内容】
【０１２４】
〔ステップＳＴ１０５，ＳＴ１０６，ＳＴ２０７，ＳＴ１０８〕
次に、ステップＳＴ１０５，ＳＴ１０６，ＳＴ２０７，ＳＴ１０８における処理が行われ、記録媒体１０４に映像番組が記録される。また、表示部２０２は、映像信号選択部１０２でどちらのトランスポートストリームが選択されたのかを表示する。
【手続補正２２】
【補正対象書類名】明細書
【補正対象項目名】０１４３
【補正方法】変更
【補正の内容】
【０１４３】
次に、時刻ｔ２において、時刻ｔ１における処理と同様に、ステップＳＴ５０１からステップＳＴ５０６の処理を行う。記録媒体１０４は、映像番組を期間１に２．２５ＧＢ記録したので空き容量は９．７５ＧＢとなり、記録容量は図３０に示した式６のように算出されて４．７３ＧＢとなる。
【手続補正２３】
【補正対象書類名】図面
【補正対象項目名】図１９
【補正方法】変更
【補正の内容】
【図１９】
2005033622.tif 000001
【手続補正２４】
【補正対象書類名】図面
【補正対象項目名】図２７
【補正方法】変更
【補正の内容】
【図２７】
2005033622.tif 000002